(57)【要約】【課題】ヒータを用いずに窓部の曇りを防止することができ、ランニングコストの抑制および機器の寿命の延長を図る。【解決手段】ケース１１が監視カメラ１から外部を透視可能な窓部２２と空気取入口２３と空気排出口２４とを有する。ケース１１は窓部２２の外側に窓部２２の外面全体に送風するための空気吹出孔２７を有する。吸気ファン１２が動力により空気取入口２３からケース１１内に吸気する。排気ファン１３が動力によりケース１１内から空気排出口２４に排気する。窓部方向導風部１４が吸気ファン１２による送風を窓部２２の一端側から他端側へ窓部２２の内面全体に沿って案内する。排出口方向導風部１５が吸気ファン１２による送風を窓部２２の他端側から空気排出口２４へ案内する。吹出孔方向導風部１６が排気ファン１３による送風を空気吹出孔２７へ案内する。【選択図】図１
2004317900.tif 000002
【特許請求の範囲】
【請求項１】
ケースと、吸気ファンと、排気ファンと、窓部方向導風部と、吹出孔方向導風部とを有し、
前記ケースは内部に監視カメラを収容可能であって監視カメラから外部を透視可能な窓部と空気取入口と空気排出口とを有し、前記窓部の外側に前記窓部の外面に送風するための空気吹出孔を有し、
前記吸気ファンは動力により前記空気取入口から前記ケース内に吸気するよう設けられ、
前記排気ファンは動力により前記ケース内から前記空気排出口に排気するよう設けられ、
前記窓部方向導風部は前記吸気ファンによる送風を前記窓部の内面に案内するよう前記ケースの内部に設けられ、
前記吹出孔方向導風部は前記排気ファンによる送風を前記空気吹出孔へ案内するよう前記ケースの内部に設けられていることを、
特徴とする監視カメラ用ハウジング。
【請求項２】
ケースと、吸気ファンと、排気ファンと、窓部方向導風部と、排出口方向導風部と、吹出孔方向導風部とを有し、
前記ケースは内部に監視カメラを収容可能であって監視カメラから外部を透視可能な窓部と空気取入口と空気排出口とを有し、前記窓部の外側に前記窓部の外面全体に送風するための空気吹出孔を有し、
前記吸気ファンは動力により前記空気取入口から前記ケース内に吸気するよう設けられ、
前記排気ファンは動力により前記ケース内から前記空気排出口に排気するよう設けられ、
前記窓部方向導風部は前記吸気ファンによる送風を前記窓部の一端側から他端側へ前記窓部の内面全体に沿って案内するよう前記ケースの内部に設けられ、
前記排出口方向導風部は前記吸気ファンによる送風を前記窓部の他端側から前記空気排出口へ案内するよう前記ケースの内部に設けられ、
前記吹出孔方向導風部は前記排気ファンによる送風を前記空気吹出孔へ案内するよう前記ケースの内部に設けられていることを、特徴とする。
【発明の詳細な説明】
【０００１】
【発明の属する技術分野】
本発明は、監視カメラ用ハウジングに関する。
【０００２】
【従来の技術】
従来の監視カメラ用ハウジングとして、曇り防止装置を有し、ファンを駆動すると空気がフィンの隙間に沿って流れ、ヒータによって加熱されて湿度を下げた後、保護ガラスとカメラの撮影レンズとの間に吹き出されて、保護ガラスや撮影レンズの曇りを防止するものがある（特許文献１参照）。
【０００３】
【特許文献１】
特開平１０−３３３２３４号公報
【０００４】
【発明が解決しようとする課題】
しかしながら、特許文献１に示す監視カメラ用ハウジングは、ヒータを用いるため、ランニングコストが嵩むという課題があった。また、ヒータの熱により監視カメラなどの機器が故障するおそれがあるという課題があった。
【０００５】
本発明は、このような従来の課題に着目してなされたもので、ヒータを用いずに窓部の曇りを防止することができ、ランニングコストの抑制および機器の寿命の延長を図ることができる監視カメラ用ハウジングを提供することを目的としている。
【０００６】
【課題を解決するための手段】
上記目的を達成するために、本発明に係る監視カメラ用ハウジングは、ケースと、吸気ファンと、排気ファンと、窓部方向導風部と、吹出孔方向導風部とを有し、前記ケースは内部に監視カメラを収容可能であって監視カメラから外部を透視可能な窓部と空気取入口と空気排出口とを有し、前記窓部の外側に前記窓部の外面に送風するための空気吹出孔を有し、前記吸気ファンは動力により前記空気取入口から前記ケース内に吸気するよう設けられ、前記排気ファンは動力により前記ケース内から前記空気排出口に排気するよう設けられ、前記窓部方向導風部は前記吸気ファンによる送風を前記窓部の内面に案内するよう前記ケースの内部に設けられ、前記吹出孔方向導風部は前記排気ファンによる送風を前記空気吹出孔へ案内するよう前記ケースの内部に設けられていることを、特徴とする。
【０００７】
本発明に係る監視カメラ用ハウジングでは、吸気ファンを作動させて空気取入口からケース内に吸気する。吸気ファンによる風は、窓部方向導風部により窓部の内面に吹き付けられる。これにより、窓部の内面が結露により曇るのを抑える。吸気ファンによる風は、排気ファンにより空気排出口へと送られる。排気ファンから吹き出された風は、吹出孔方向導風部により空気吹出孔へと送られ、窓部の外側から窓部の外面に吹き付けられる。これにより、窓部の外面が結露により曇るのを抑える。窓部の外面に吹き付けられる風は、窓部の内面に吹き付けられた後の空気のため、窓部の外面と内面との温度差を小さくすることができ、窓部の内面または外面が曇るのをより効果的に抑えることができる。こうして、ヒータを用いずに窓部の曇りを防止することができ、ヒータを用いた場合に比べてランニングコストの抑制および機器の寿命の延長を図ることができる。窓部の曇り止めは、常時行うようにしても、必要な場合にのみ行うようにしてもよい。
【０００８】
他の本発明に係る監視カメラ用ハウジングは、ケースと、吸気ファンと、排気ファンと、窓部方向導風部と、排出口方向導風部と、吹出孔方向導風部とを有し、前記ケースは内部に監視カメラを収容可能であって監視カメラから外部を透視可能な窓部と空気取入口と空気排出口とを有し、前記窓部の外側に前記窓部の外面全体に送風するための空気吹出孔を有し、前記吸気ファンは動力により前記空気取入口から前記ケース内に吸気するよう設けられ、前記排気ファンは動力により前記ケース内から前記空気排出口に排気するよう設けられ、前記窓部方向導風部は前記吸気ファンによる送風を前記窓部の一端側から他端側へ前記窓部の内面全体に沿って案内するよう前記ケースの内部に設けられ、前記排出口方向導風部は前記吸気ファンによる送風を前記窓部の他端側から前記空気排出口へ案内するよう前記ケースの内部に設けられ、前記吹出孔方向導風部は前記排気ファンによる送風を前記空気吹出孔へ案内するよう前記ケースの内部に設けられていることを、特徴とする。
【０００９】
他の本発明に係る監視カメラ用ハウジングでは、吸気ファンを作動させて空気取入口からケース内に吸気する。吸気ファンによる風は、窓部方向導風部により窓部の一端側から他端側へ窓部の内面全体に沿って吹き付けられる。これにより、窓部の内面が結露により曇るのを抑える。さらに、吸気ファンによる風は、排気ファンで吸引されて、排出口方向導風部により窓部の他端側から空気排出口へと送られる。排気ファンから吹き出された風は、吹出孔方向導風部により空気吹出孔へと送られ、窓部の外側から窓部の外面全体に吹き付けられる。これにより、窓部の外面が結露により曇るのを抑える。窓部の外面に吹き付けられる風は、窓部の内面に吹き付けられた後の空気のため、窓部の外面と内面との温度差を小さくすることができ、窓部の内面または外面が曇るのをより効果的に抑えることができる。こうして、ヒータを用いずに窓部の曇りを防止することができ、ヒータを用いた場合に比べてランニングコストの抑制および機器の寿命の延長を図ることができる。窓部の曇り止めは、常時行うようにしても、必要な場合にのみ行うようにしてもよい。
【００１０】
なお、吹出孔方向導風部はケースの側面または上面に沿って設けられていることが好ましい。この場合、ケースの側面または上面に沿って送風することにより、側面または上面の結露を防止し、ケースの耐久性を高めることができる。
【００１１】
【発明の実施の形態】
以下、図面に基づき、本発明の実施の形態について説明する。
図１乃至図３は、本発明の実施の形態を示している。図１は本発明の実施の形態の監視カメラ用ハウジングの概略構成を示す縦断面図、図２は図１に示す監視カメラ用ハウジングの背面図、図３は図１に示す監視カメラ用ハウジングの平面図である。
図１乃至図３に示すように、監視カメラ用ハウジングは、ケース１１と、吸気ファン１２と、排気ファン１３と、窓部方向導風部１４と、排出口方向導風部１５と、吹出孔方向導風部１６とを有している。
【００１２】
ケース１１は、箱型をなし、内部に監視カメラ１を収容可能となっている。監視カメラ１は、ケース１１の底部１１ａにボルト２１で固定される。ケース１１は、正面に窓部２２を有している。窓部２２は、保護ガラスから成り、監視カメラ１から外部を透視可能となっている。ケース１１は、背面に空気取入口２３と空気排出口２４とを有している。空気取入口２３には、吸気口２５ａを下方に向けたダクト２５が設けられている。図１に示すように、ケース１１は、窓部２２の外側周囲に正面側に枠状に突出する空洞の凸部２６を有している。凸部２６は、窓部２２の外面全体に送風するための複数の空気吹出孔２７を有している。空気吹出孔２７は、凸部２６の左右両側で窓部２２に沿って高さ方向に並び、互いに向き合うよう配置されている。
【００１３】
図２に示すように、吸気ファン１２は、動力により空気取入口２３からケース１１内に吸気するよう空気取入口２３に設けられている。排気ファン１３は、動力によりケース１１内から空気排出口２４に排気するよう空気排出口２４に設けられている。排気ファン１３は、吸気ファン１２より送風量がやや大きく設定してある。
【００１４】
図１に示すように、窓部方向導風部１４は、傾斜板１４ａと底板１４ｂとから成って、ケース１１の内部に設けられている。傾斜板１４ａは、空気取入口２３の上端から窓部２２の下端２２ａの方向に傾斜して配置され、ケース１１に固定されている。底板１４ｂは、ケース１１の底部１１ａの上方に隙間をあけて配置され、ケース１１に固定されている。底板１４ｂは、傾斜板１４ａの下端付近に空気供給口１４ｃを有し、窓部２２の下端２２ａ付近に窓部２２の幅方向に沿って延びる空気吹出口１４ｄを有している。これにより、窓部方向導風部１４は、吸気ファン１２による送風を窓部２２の下端２２ａ側から上端２２ｂ側へ窓部２２の内面全体に沿って案内するようになっている。
【００１５】
排出口方向導風部１５は、折れ曲がった板材から成って、ケース１１の内部に設けられている。排出口方向導風部１５は、一端１５ａが空気排出口２４の下端に固定され、ケース１１の上面に沿って他端１５ｂが窓部２２の上端２２ｂ側に延びている。これにより、排出口方向導風部１５は、吸気ファン１２による送風を窓部２２の上端２２ｂ側から空気排出口２４へ案内するようになっている。
【００１６】
図１乃至図３に示すように、吹出孔方向導風部１６は、ガイド板１６ａとダクト１６ｂとから成って、ケース１１の内部に設けられている。ガイド板１６ａは、排気ファン１３の空気吹出し側で空気排出口２４を遮るようにケース１１に固定されている。ガイド板１６ａは、空気排出口２４の中央部で左右に折れ曲がり、両側端部１６ｃが窓部２２の方向に傾斜してケース１１の側部１１ｂの内面に固定されている。ダクト１６ｂは、ガイド板１６ａの排気ファン１３側の両側端部１６ｃ付近に導入口１６ｄを有し、ケース１１の両方の側部１１ｂの内面に沿って凸部２６に連通するよう設けられている。これにより、ダクト１６ｂは、排気ファン１３による送風を空気吹出孔２７へ案内するようになっている。
【００１７】
次に作用について説明する。
監視カメラ用ハウジングは、内部に監視カメラ１を固定して、そのケーブル端子を接続し、電源に接続して使用される。監視カメラ用ハウジングは、屋内または屋外に設置することができる。監視カメラ用ハウジングでは、吸気ファン１２を作動させて空気取入口２３からケース１１内に吸気する。図１乃至図３において、空気の流れを矢印で示す。吸気ファン１２による風は、窓部方向導風部１４により窓部２２の下端２２ａ側から上端２２ｂ側へ窓部２２の内面全体に沿って吹き付けられる。これにより、窓部２２の内面が結露により曇るのを抑える。
【００１８】
さらに、吸気ファン１２による風は、排気ファン１３で吸引されて、排出口方向導風部１５により窓部２２の上端２２ｂ側から空気排出口２４へと送られる。このとき、送風により監視カメラ１を冷却することができる。排気ファン１３から吹き出された風は、吹出孔方向導風部１６により空気吹出孔２７へと送られ、窓部２２の外側から窓部２２の外面全体に吹き付けられる。これにより、窓部２２の外面が結露により曇るのを抑えるとともに、雨などにより外面に付着した水滴を吹き飛ばすことができる。窓部２２の外面に吹き付けられる風は、窓部２２の内面に吹き付けられた後の空気のため、窓部２２の外面と内面との温度差を小さくすることができ、窓部２２の内面または外面が曇るのをより効果的に抑えることができる。また、吹出孔方向導風部１６はケース１１の側部１１ｂの内面に沿って設けられ、ケース１１の側部１１ｂの内面に沿って送風するようになっているため、ケース１１の側面の結露を防止し、ケース１１の耐久性を高めることができる。
【００１９】
こうして、ヒータを用いずに窓部２２の曇りを防止することができ、ヒータを用いた場合に比べてランニングコストの抑制および機器の寿命の延長を図ることができる。なお、監視カメラ用ハウジングは、ヒータを用いることもでき、その場合にも窓部２２の内面または外面が曇るのを抑えることができる。
【００２０】
【発明の効果】
本発明によれば、ヒータを用いずに窓部の曇りを防止することができ、ランニングコストの抑制および機器の寿命の延長を図ることができる監視カメラ用ハウジングを提供することができる。
【図面の簡単な説明】
【図１】本発明の実施の形態の監視カメラ用ハウジングの概略構成を示す縦断面図である。
【図２】図１に示す監視カメラ用ハウジングの背面図である。
【図３】図１に示す監視カメラ用ハウジングの平面図である。
【符号の説明】
１１  ケース
１２  吸気ファン
１３  排気ファン
１４  窓部方向導風部
１５  排出口方向導風部
１６  吹出孔方向導風部
２２  窓部
２３  空気取入口
２４  空気排出口
２６  凸部
２７  空気吹出孔
【図１】
2004317900.tif 000003
【図２】
2004317900.tif 000004
【図３】
2004317900.tif 000005